(57)【特許請求の範囲】
【請求項１】
映像データと音声データとを含むデータから構成されるプログラムが、複数のセクタから構成される少なくとも１以上のデータユニットの単位で記録され、前記プログラムのうち第１のプログラムを構成する第１のデータユニットが、該第１のデータユニットに続く第２のデータユニットの先頭セクタを示すアドレス情報および前記第１のプログラムに続く第２のプログラムの先頭セクタを示すアドレス情報を含むセクタリンクデータを有するデータユニットヘッダを含むように記録された記録媒体から、前記データを再生する再生装置であって、
前記データユニットを構成する各セクタには、主映像、副映像、音声および管理情報のうち自セクタのデータ種別を示すいずれかの識別情報が更に記録されており、
前記記録媒体からデータを読み取る読み取り手段と、
前記第２のデータユニットの先頭セクタを示すアドレス情報もしくは前記第２のプログラムの先頭セクタを示すアドレス情報のいずれかに基づいて前記データ再生の動作を制御する制御手段とを具備することを特徴とする再生装置。
【請求項２】
映像データと音声データとを含むデータから構成されるプログラムが、複数のセクタから構成される少なくとも１以上のデータユニットの単位で記録媒体に記録する記録方法であって、
前記プログラムのうち第１のプログラムを構成する第１のデータユニットが、該第１のデータユニットに続く第２のデータユニットの先頭セクタを示すアドレス情報および前記第１のプログラムに続く第２のプログラムの先頭セクタを示すアドレス情報を含むセクタリンクデータを有するデータユニットヘッダを含むように記録し、
前記データユニットを構成する各セクタに、主映像、副映像、音声および管理情報のうち自セクタのデータ種別を示すいずれかの識別情報を更に記録することを特徴とする記録方法。
【請求項３】
映像データと音声データとを含むデータから構成されるプログラムが、複数のセクタから構成される少なくとも１以上のデータユニットの単位で記録され、前記プログラムのうち第１のプログラムを構成する第１のデータユニットが、該第１のデータユニットに続く第２のデータユニットの先頭セクタを示すアドレス情報および前記第１のプログラムに続く第２のプログラムの先頭セクタを示すアドレス情報を含むセクタリンクデータを有するデータユニットヘッダを含むように記録された記録媒体から、前記データを再生する再生方法であって、
前記データユニットを構成する各セクタには、主映像、副映像、音声および管理情報のうち自セクタのデータ種別を示すいずれかの識別情報が更に記録されており、
前記第２のデータユニットの先頭セクタを示すアドレス情報もしくは前記第２のプログラムの先頭セクタを示すアドレス情報のいずれかを用いてセクタにアクセスすることを特徴とする再生方法。
【発明の詳細な説明】
【０００１】
【発明の属する技術分野】
本発明は、例えば光ディスク等の再生装置、記録方法および再生方法に関する。
【０００２】
【従来の技術】
近年、音声および映像を記録した光ディスクを再生するディスク再生装置が普及し、例えば映画ソフトやカラオケ等の再生装置として広く利用されている。また最近、音声や映像のデータをデジタル記録した光ディスクを再生する装置も現れ、例えばカラオケシステムとして市販されている。この光ディスクはサイズがＣＤ（コンパクトディスク）と同じであるため装置全体を小型化できるといった利点を有している。
【０００３】
図９はこのような光ディスクの記録フォーマットを示す図である。同図に示すように、この記録フォーマットは、リードインエリア１、インフォメーションエリア２、データエリア３およびリードアウトエリア４からなる。インフォメーションエリア２はトラック（プログラム）１が対応している。また圧縮映像、圧縮音声データを記録するデータエリア３はトラック（プログラム）２から最大９９までが対応している。データエリア３の各トラック（プログラム）は、図１０に示すように、物理的にはセクタ単位で区切られた映像データＶと音声データＡとの配列からなり、映像と音声との同期がとれるように、連続する６つの映像セクタＶの後に１つの音声セクタＡを規則的に配置している。
【０００４】
インフォメーションエリア２には、データエリア３内のプログラムの再生手順を示す管理テーブルが記録されている。例えば映画等の場合、ひとつの映画は連続性を有する複数のプログラムから構成されるため、このようなプログラム間の再生手順を示す管理テーブルが不可欠なものとなる。ディスク再生装置は、ディスク再生を開始するにあたり、この管理テーブルを予めメモリに読み込んでおき、この管理テーブルが示す手順に従って各プログラムを連続再生する。したがって、ディスク再生装置には管理テーブルの内容をすべて記憶できる大容量のメモリが必要となる。
【０００５】
また、音声データおよび映像データの圧縮符号化には、国際標準規格のＭＰＥＧ（Moving Picture Image Coding Expert Group ）１方式が採用されている。これはデータを可変長圧縮する方式である。ここで、ランダムアクセス性を高めるため、ＭＰＥＧ映像の符号化単位であるＧＯＰ（Group Of Picture）がどのセクタのどの位置（ビット）にあるかまでも管理テーブル上で管理することは理論的には可能である。しかし、このような管理テーブルを構築した場合、システム側の処理が繁雑になり、しかもより大きなメモリ容量を要することにもなる。このため、現実的にはプログラムの単位でこれを管理することに止まっている。
【０００６】
【発明が解決しようとする課題】
このように、従来は、記録媒体に記録された管理テーブルの内容を格納するための大きなメモリを再生装置に持たせる必要があった。また、管理テーブル上でのデータの管理はプログラム単位で行われることに止まっており、ランダムアクセス性に欠く難点を有していた。
【０００７】
本発明はこのような課題を解決するためのもので、管理テーブルを格納するメモリを再生装置から排除することのできる記録媒体の再生装置、記録方法および再生方法の提供を目的としている。
【０００８】
また本発明は、プログラム途中の任意のユニットから再生を開始することのできるランダムアクセス性に奏でた記録媒体の再生装置、記録方法および再生方法の提供を目的としている。
【０００９】
【課題を解決するための手段】
本発明の再生装置は上記した目的を達成するために、映像データと音声データとを含むデータから構成されるプログラムが、複数のセクタから構成される少なくとも１以上のデータユニットの単位で記録され、プログラムのうち第１のプログラムを構成する第１のデータユニットが、該第１のデータユニットに続く第２のデータユニットの先頭セクタを示すアドレス情報および第１のプログラムに続く第２のプログラムの先頭セクタを示すアドレス情報を含むセクタリンクデータを有するデータユニットヘッダを含むように記録された記録媒体から、データを再生する再生装置であって、データユニットを構成する各セクタには、主映像、副映像、音声および管理情報のうち自セクタのデータ種別を示すいずれかの識別情報が更に記録されており、記録媒体からデータを読み取る読み取り手段と、第２のデータユニットの先頭セクタを示すアドレス情報もしくは第２のプログラムの先頭セクタを示すアドレス情報のいずれかに基づいてデータ再生の動作を制御する制御手段とを具備することを特徴とするものである。
【００１０】
ここで、前記関連するユニットまたはプログラムのアドレス情報とは、例えば次のプログラムの先頭セクタのアドレス情報、セクタが属するユニットの先頭セクタのアドレス情報、１つ前のユニットの先頭セクタのアドレス情報である。
【００１１】
また、各セクタに、次のユニットの先頭セクタのアドレス情報、現在のプログラムの先頭セクタのアドレス情報、一つ前のプログラムの先頭セクタのアドレス情報、自セクタのデータの論理フォーマット上での種別を示す情報、管理エリアの先頭セクタのアドレス情報をさらに記録するようにしてもよい。
【００１２】
さらに本発明の記録方法は上記した目的を達成するために、映像データと音声データとを含むデータから構成されるプログラムが、複数のセクタから構成される少なくとも１以上のデータユニットの単位で記録媒体に記録する記録方法であって、プログラムのうち第１のプログラムを構成する第１のデータユニットが、該第１のデータユニットに続く第２のデータユニットの先頭セクタを示すアドレス情報および第１のプログラムに続く第２のプログラムの先頭セクタを示すアドレス情報を含むセクタリンクデータを有するデータユニットヘッダを含むように記録し、データユニットを構成する各セクタに、主映像、副映像、音声および管理情報のうち自セクタのデータ種別を示すいずれかの識別情報を更に記録することを特徴とするものである。
【００１３】
また本発明の再生方法は上記した目的を達成するために、映像データと音声データとを含むデータから構成されるプログラムが、複数のセクタから構成される少なくとも１以上のデータユニットの単位で記録され、プログラムのうち第１のプログラムを構成する第１のデータユニットが、該第１のデータユニットに続く第２のデータユニットの先頭セクタを示すアドレス情報および第１のプログラムに続く第２のプログラムの先頭セクタを示すアドレス情報を含むセクタリンクデータを有するデータユニットヘッダを含むように記録された記録媒体から、データを再生する再生方法であって、データユニットを構成する各セクタには、主映像、副映像、音声および管理情報のうち自セクタのデータ種別を示すいずれかの識別情報が更に記録されており、第２のデータユニットの先頭セクタを示すアドレス情報もしくは第２のプログラムの先頭セクタを示すアドレス情報のいずれかを用いてセクタにアクセスすることを特徴とするものである。
【００１４】
すなわち、本発明の記録媒体には、各セクタにそれぞれ、次のプログラムの先頭セクタのアドレス情報が少なくとも記録されているので、例えば再生の際にこのアドレス情報を読み込むことで、管理テーブルの情報を用いることなくプログラム間の再生手順を知って複数プログラムを連続再生することができる。したがって、管理テーブル用のメモリを再生装置から排除することができる。
【００１５】
また、本発明の記録媒体には、各セクタにそれぞれ、次のプログラムの先頭セクタのアドレス情報に加えて、少なくとも次のユニットの先頭セクタのアドレス情報が記録されているので、プログラム途中の任意のユニットから再生を開始することが可能になる。すなわち、例えば再生の際に、Ｔ時間後のプログラム再生への切り替え要求を受け付けると、このＴ時間後のプログラムの先頭セクタを求めた後、トラックジャンプを通じて、この先頭セクタを検索し、先頭セクタが検索されたとき、このセクタに記録されている次のユニットの先頭セクタのアドレス情報を読み込んでこのアドレス情報に基づき、該当する次のユニットの先頭セクタから再生を行う。
【００１６】
【発明の実施の形態】
以下、本発明の実施例を図面に基づいて説明する。
【００１７】
図１は本発明に係わる一実施例の記録媒体である光ディスク上の、物理フォーマットと論理フォーマットとの関係を示す図である。
【００１８】
同図において、１００は光ディスクに記録されたデータストリームである。このデータストリーム１００は可変長のデータユニット（以下、ＤＵＴと呼ぶ）１０１の配列からなる。ＤＵＴ１０１は論理フォーマット上、ＤＵＴヘッダ１０２、副映像データ１０３、音声データ１０４および主映像データ１０５から構成される。副映像データ１０３、音声データ１０４および主映像データ１０５は可変長圧縮データであり、これらの信号長はそれぞれ所定再生時間を基準として定められている。またＤＵＴ１０１内の各データは、物理的フォーマット上、複数のセクタ１０６から構成される。
【００１９】
図２はセクタ１０６の構成を示す図である。セクタ１０６はヘッダ２０１と実データ２０２とから構成される。ヘッダ２０１は、セクタ１０６の番号およびデータ再生時の同期生成のための同期信号等が記録された同期ヘッダ２０３と、セクタリンクデータ（以下、ＳＬＤと呼ぶ）２０４とからなる。ＳＬＤ２０４は、管理エリア先頭セクタ番号２０５、識別フラグ２０６、ＢＯＯＫ番号２０７、ストーリー番号２０８、プログラム番号，ＤＵＴ番号２０９、ＤＵＴ識別２１０、次のプログラム先頭セクタ番号２１１、現プログラム先頭セクタ番号２１２、一つ前のプログラムの先頭セクタ番号２１３、次のＤＵＴの先頭セクタ番号２１４、現ＤＵＴの先頭セクタ番号２１５、一つ前のＤＵＴの先頭セクタ番号２１６を示す各エリアで構成されている。
【００２０】
ここで、ストーリー番号２０８およびプログラム番号２０９について説明する。ストーリーとは論理フォーマット上において関連を持った映像、音声データのグループを指す。具体的には映画等がこれに相当する。このストーリーは一枚のディスク上に１つまたは複数存在する。またストーリーは複数のプログラムで構成されている。ここで、一部の映像、音声を複数のストーリーで共用することも可能である。
【００２１】
例えば、２つのストーリーＡ、Ｂが記録されているものとし、一方のストーリーＡには青少年に問題のありそうな暴力シーンが含まれているものとする。この場合、暴力シーン以外はストーリーＡと全く同じ映像音声（プログラム）であるが、問題の暴力シーンは別の映像音声（プログラム）で置き替えたものをもう一方のストーリーＢとして記録することができる。
【００２２】
図３は光ディスク上の管理エリアに記録されたストーリー管理テーブルの例を示す図である。同図に示すように、このテーブルには、ストーリー毎のプログラム数とその番号列が登録されている。ここで、ストーリーＡのプログラム３、４が上記暴力シーンにあたり、ストーリーＢではここを問題のないシーンのプログラム７、８に置き替えている。この場合、プログラム０、１、２、５、６はストーリーＡとＢとで共用して、ディスク容量を効率的利用を図っている。
【００２３】
図４は光ディスク上の管理エリアに記録されたプログラム管理テーブルの例を示す図である。同図に示すように、このテーブルには、各プログラム０〜Ｎのスタートセクタ番号およびエンドセクタ番号が登録されている。
【００２４】
次に、このような記録フォーマットをもつ光ディスクの再生装置について説明する。図５はこの光ディスク再生装置の全体的なハードウェア構成を示すブロック図である。
【００２５】
同図において、５０１は光ディスク、５０２は光ディスク５０１にレーザ光を照射してその反射光の強弱を再生信号として読み取るピックアップである。ピックアップ５０２で得た再生信号は波形等化／ＰＬＬ回路５０３に入力され、ここで波形等化、データスライス等の処理が行われてデータストリームとなって同期再生回路５０４へ送られる。同期再生回路５０４はデータストリームから図２に示したセクタの同期ヘッダ２０３を検出し、再生すべきデータをエラー訂正（ＥＣＣ）回路５０５へ供給する。ここでデータにエラーがあればそのエラー訂正を行い、その訂正結果を映像分離回路５０６に渡す。映像分離回路５０６はデータから映像データと音声データをそれぞれ分離し、これらをキャッシュメモリ５０７の独立した各記憶領域に別々に格納する。キャッシュメモリ５０７に格納された映像データおよび音声データは、映像再生回路５０８および音声再生回路５０９からの要求に従ってそれぞれ読み出され、映像再生回路５０８および音声再生回路５０９にて必要な信号処理が施された後、ＴＶモニタ５１０およびスピーカー５１１によって再生される。
【００２６】
図６はストーリーを再生する場合の処理手順を示すフローチャートである。この場合、まずコントロールパネル５１２上でストーリーを選択し設定する（ステップ６０１）。次に、図３に示したストーリー管理テーブルから再生したいストーリーを構成するプログラム数を読み込み、レジスタ５１３に格納する（ステップ６０２）。続いて、図４に示したプログラム管理テーブルから、再生したいストーリーの最初のプログラムのスタートセクタ番号を読み込み、レジスタ５１４に格納する。この後、レジスタ５１４に格納された最初のプログラムのスタートセクタ番号ＰＳをセクタ判定回路５１５にセットする（ステップ６０３）。
【００２７】
トラックジャンプ信号発生回路５１６は、セクタ判定回路５１５にセットされたスタートセクタ番号ＰＳを基にジャンプするトラック数ＴＮを算出し（ステップ６０４）、サーボ制御回路５１７に対して約ＴＮトラックだけトラックジャンプするようジャンプ信号を供給する。これによりピックアップ５０２は目的のトラック付近にジャンプする（ステップ６０５）。
【００２８】
ピックアップ５０２が目的のトラック付近に達すると、同期再生回路５０４にて、図２に示した同期ヘッダ２０３内のセクタ番号ＳＸを再生し、再生したセクタ番号ＳＸをレジスタ５１８に格納する（ステップ６０６）。
【００２９】
ここでセクタ判定回路５１５は、レジスタ５１８に格納されたセクタ番号ＳＸが以下の条件を満足するかどうかを判定する（ステップ６０７）。ＰＳ−Ｎ＜ＳＸ≦ＰＳ （但し、Ｎ：例えば１トラック分のセクタ数）ここで、再生セクタ番号ＳＸが上記条件を満足しなければ、さらにジャンプすべきトラック数を計算し、再びトラックジャンプさせる。
【００３０】
また再生セクタ番号ＳＸが上記条件を満足していればそのままセクタ番号ＳＸの再生を続け（ステップ６０９）、その後、再生セクタ番号ＳＸがプログラムのスタートセクタ番号ＰＳと一致すれば（ステップ６０８）、映像、音声のデータを再生する（ステップ６１１）。そしてプログラムエンドのＤＵＴを越えたら（ステップ６１０）、映像、音声の再生をやめ、次のプログラムの開始フローに戻る。現プログラムから次のプログラムへ移行する時間はわずかであるため、ＴＶ上の再生映像音声は見掛け上とぎれない。
【００３１】
なお、プログラムエンドの判定は図２に示したＳＬＤ２０４のストーリー番号２０８およびプログラム番号，ＤＵＴ番号２０９を検出することで判定できる。また、次のプログラムのスタートセクタ番号は、ＳＬＤ２０４内の次プログラム先頭セクタ番号２１１で分かるので、レジスタ５１４にこの番号２１１を格納し、さらにこの番号２１１をセクタ判定回路５１５に読み込ませて処理を続ける。プログラム数はレジスタ５１３に記録してあるので、再生プログラム数がこれに達し映像、音声を再生し終えたら（ステップ６１２）、全再生を終了する。
【００３２】
なお、光ディスク再生装置の他の実施例として、最終プログラムにおけるセクタのＳＬＤ２０４の次プログラム先頭セクタ番号２１１にプログラムターミネートコード（例えばオール“１”）を挿入しておけば、ストーリーのプログラム数を記録するエリアがディスク上に不要になり、ハード的にもこの情報をレジストする回路が不要になる。
【００３３】
このように本実施例によれば、図２に示した構成のＳＬＤ２０４を各セクタに記録しておくことで、管理テーブルを格納する大容量のメモリを光ディスク再生装置に持たせる必要がなくなる。
【００３４】
また、本実施例によれば、再生中に時間Ｔｓ秒後を再生したい場合に容易にそこをアクセスできる。以下にこの場合の動作を説明する。
【００３５】
まずコントロールパネル５１２でＴｓ秒後の再生要求を設定する。するとＤＵＴ番号算出回路５１９は、まずＴｓ秒後のプログラム番号およびＤＵＴ番号を次のように算出する。図７は各プログラム０〜Ｎの再生時間が登録された管理テーブルを示している。このように、このテーブルには各プログラム０〜Ｎの再生時間が登録されているので、これを参照すれば、Ｔｓ秒後はどのプログラム上にあるかを算出することができる。なお、図７に示した管理テーブルはＤＵＴの数で再生時間を示すようにしてもよい。
【００３６】
例えば、ストーリーＡの再生でＴｓ＝１０００秒後を再生する場合を説明する。ここで、現在のプログラム番号は０、ＤＵＴ番号は２０であるとし、また図７の管理テーブルの具体的内容は次の通りであったと仮定する。
【００３７】
プログラム０の再生時間＝２００秒
プログラム１の再生時間＝３００秒
プログラム２の再生時間＝１００秒
プログラム３の再生時間＝４００秒
プログラム４の再生時間＝３００秒
すると、現ＤＵＴからプログラム０の終りまでの再生時間Ｔ０は、１ＤＵＴの再生時間が０．５秒だとすると、
Ｔ０＝２００−０．５×２０＝１９０秒
となる。従って、
Ｔ０＋Ｔ１＋Ｔ２＋Ｔ３＝９９０秒
になり、Ｔｓ＝１０００秒後はプログラム４の開始後１０秒のところを再生すればよいことになる。すなわち、ＤＵＴ換算で
１０／０．５＝２０
となり、プログラム４のＤＵＴ番号２１からを再生すればよい。
【００３８】
このようにして目的のプログラム番号およびＤＵＴ番号が算出できたならば、次に図４のプログラム管理テーブルからプログラム４のスタートセクタ番号を読み込み、レジスタ５１４を通してセクタ判定回路５１５にこれをセットする。
【００３９】
トラックジャンプ信号発生回路５１６は、セクタ判定回路５１５にセットされたスタートセクタ番号ＳＤからジャンプするトラックＴＮを算出し、サーボ制御回路５１７に対して約ＴＮトラックだけトラックジャンプするようジャンプ信号を供給する。これによりピックアップ５０２は目的のトラック付近にジャンプする。この後、ジャンプ先でセクタを再生し、セクタ判定回路５１５において再生セクタ番号が上記スタートセクタＳＤ番号に一致したら、ＳＬＤ２０４の次ＤＵＴ先頭セクタ番号２１４を検出し、再びレジスタ５１４にそのセクタ番号２１４を格納してジャンプ動作を繰り返す。そして目的の２１番目のＤＵＴ先頭セクタを検出して映像、音声のデータを再生する。以上によりＴｓ秒後の再生が行われる。このＴｓを短くすると倍速再生や４倍速再生が可能になる。
【００４０】
また本実施例では、ＳＬＤ２０４内の他の情報を用いて次のようなセクタ検索を行うことが可能である。
【００４１】
例えば、現プログラム先頭セクタ番号２１２から、それまで再生していたプログラムの先頭セクタを検索し、再度同じプログラムの先頭から再生し直すことができる。同様に、一つ前のプログラムの先頭セクタ番号２１３から、それまで再生していたプログラムの一つ前のプログラムの先頭セクタを検索することができる。さらに現ＤＵＴの先頭セクタ番号２１５から、それまで再生していたセクタを含むＤＵＴの先頭セクタを検索したり、一つ前のＤＵＴの先頭セクタ番号２１４から、それまで再生していたセクタを含むＤＵＴの一つ前のＤＵＴの先頭セクタを検索することもできる。
【００４２】
また再生装置に何らかのトラブルが発生し、再生動作が中断するようなことがあっても、管理エリア先頭セクタ番号２０５から管理エリアの先頭セクタをサーチし、その管理データを読み込めば、処理を速やかに再開することができる。
【００４３】
またＤＵＴ識別２１０は、何らかの原因で現再生データが何を示すものであるか分らなくなった場合に用いられる。すなわち、このＤＵＴ識別２１０を読み込むことによって、現ＤＵＴが何を再生しているデータであるかを判別することができる。図８はこのＤＵＴ識別２１０の詳細な構成を示す図である。同図に示すように、ＤＵＴ識別２１０は１バイトデータからなり、そのＭＳＢはＤＵＴが条件なしで再生可能なものである否かを示している。第２ビットは自セクタがＤＵＴ先頭セクタであるか否かを示している。また第３，４ビットは、自セクタのデータが、ＤＵＴヘッダ、副映像、音声、主映像のいずれであるか示している。さらに第５ビットは自セクタが管理データエリアであるかデータエリアであるかを示している。
【００４４】
【発明の効果】
以上説明したように本発明の再生装置、記録方法および再生方法によれば、各セクタにそれぞれ次のプログラムの先頭セクタのアドレス情報が少なくとも記録されているので、管理テーブルの情報を用いることなくプログラム間の再生手順を知って複数プログラムを連続再生することができ、管理テーブル用のメモリを再生装置から排除することができる。
【００４５】
また、各セクタにそれぞれ次のプログラムの先頭セクタのアドレス情報と次のユニットの先頭セクタのアドレス情報が記録されているので、プログラム途中の任意のユニットから再生を開始することが可能になる。
【図面の簡単な説明】
【図１】本発明に係わる一実施例の記録媒体である光ディスク上の、物理フォーマットと論理フォーマットとの関係を示す図である。
【図２】図１におけるセクタの構成を示す図である。
【図３】ストーリー管理テーブルの例を示す図である。
【図４】プログラム管理テーブルの例を示す図である。
【図５】一実施例の光ディスク再生装置の全体的なハードウェア構成を示すブロック図である。
【図６】ストーリーを再生する場合の処理手順を示すフローチャートである。
【図７】各プログラムの再生時間管理テーブルを示す図である。
【図８】ＤＵＴ識別の詳細な構成を示す図である。
【図９】従来の光ディスクの記録フォーマットを示す図である。
【図１０】図９のデータエリアに記録されたデータストリームを示す図である。
【符号の説明】
１０１…データユニット、１０２…ＤＵＴヘッダ、１０３…副映像データ、１０４…音声データ、１０５…主映像データ、１０６…セクタ、２０１…ヘッダ、２０２…実データ、２０３…同期ヘッダ、２０４…ＳＬＤ、２０５…管理エリア先頭セクタ番号、２０６…識別フラグ、２０７…ＢＯＯＫ番号、２０８…ストーリー番号、２０９…プログラム番号、２１０…ＤＵＴ識別、２１１…次のプログラム先頭セクタ番号、２１２…現プログラム先頭セクタ番号、２１３…一つ前のプログラムの先頭セクタ番号、２１４…次のＤＵＴの先頭セクタ番号、２１５…現ＤＵＴの先頭セクタ番号、２１６…一つ前のＤＵＴの先頭セクタ番号、５０１…光ディスク、５０２…ピックアップ、５０３…波形等化／ＰＬＬ回路、５０４…同期再生回路、５０５…エラー訂正（ＥＣＣ）回路、５０６…映像分離回路、５０７…キャッシュメモリ、５０８…映像再生回路、５０９…音声再生回路、５１０…ＴＶモニタ、５１１…スピーカー、５１２…コントロールパネル、５１３、５１４、５１８…レジスタ、５１５…セクタ判定回路、５１６…トラックジャンプ信号発生回路、５１７…サーボ制御回路、５１９…ＤＵＴ番号算出回路。
【図１】
0003895259.tif 000002
【図２】
0003895259.tif 000003
【図３】
0003895259.tif 000004
【図４】
0003895259.tif 000005
【図５】
0003895259.tif 000006
【図６】
0003895259.tif 000007
【図７】
0003895259.tif 000008
【図８】
0003895259.tif 000009
【図９】
0003895259.tif 000010
【図１０】
0003895259.tif 000011